【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
下記化学式(１)〜(３)に示すユニットからなる群から選ばれた少なくとも１種類のユニットをポリマー分子中に含むことを特徴とするポリヒドロキシアルカノエート。
【化１】
2006206834.tif 000001
(a1及びa2は化学式中に示した範囲内から選ばれた整数である(但し、上記化学式(１)において、a１＝１でa２＝２のユニット、a１＝３でa２＝２のユニット、a１＝５でa２＝２のユニットは、選択肢からは除外される)；複数のユニットが存在する場合a1及びa2はユニット毎に独立して上記の意味を表す。)
【化２】
2006206834.tif 000002
(b1及びb2は化学式中に示した範囲内から選ばれた整数である；複数のユニットが存在する場合b1及びb2はユニット毎に独立して上記の意味を表す。)
【化３】
2006206834.tif 000003
(c1及びc2は化学式中に示した範囲内から選ばれた整数である；複数のユニットが存在する場合c1及びc2はユニット毎に独立して上記の意味を表す。)
【請求項２】
前記化学式(１)〜(３)に示すユニットからなる群から選ばれた少なくとも１種類のユニットに加えて、下記化学式(４)〜(12)に示すユニットからなる群から選ばれた少なくとも１種類のユニットをポリマー分子中に含むことを特徴とする、請求項１に記載のポリヒドロキシアルカノエート。
【化４】
2006206834.tif 000004
(dは化学式中に示した範囲内から選ばれた整数である；複数のユニットが存在する場合dはユニット毎に独立して上記の意味を表す。)
【化５】
2006206834.tif 000005
(eは化学式中に示した範囲内から選ばれた整数である；複数のユニットが存在する場合eはユニット毎に独立して上記の意味を表す。)
【化６】
2006206834.tif 000006
(fは化学式中に示した範囲内から選ばれた整数である；Ｒ6はフェニル構造或いはチエニル構造のいずれかの構造を有する残基を含んでいる；複数のユニットが存在する場合f及びＲ6はユニット毎に独立して上記の意味を表す。)
【化７】
2006206834.tif 000007
(式中、Ｒ7はシクロヘキシル基への置換基を示し、Ｒ7はＨ原子、ＣＮ基、ＮＯ2基、ハロゲン原子、ＣＨ3基、Ｃ2Ｈ5基、Ｃ3Ｈ7基、ＣＦ3基、Ｃ2Ｆ5基またはＣ3Ｆ7基であり、gは化学式中に示した範囲から選ばれた整数であり、複数のユニットが存在する場合ユニット毎に独立して上記の意味を表す。)
【化８】
2006206834.tif 000008
(式中、Ｒ8はシクロヘキシルオキシ基への置換基を示し、Ｒ8はＨ原子、ＣＮ基、ＮＯ2基、ハロゲン原子、ＣＨ3基、Ｃ2Ｈ5基、Ｃ3Ｈ7基、ＣＦ3基、Ｃ2Ｆ5基またはＣ3Ｆ7基であり、hは化学式中に示した範囲から選ばれた整数であり、複数のユニットが存在する場合ユニット毎に独立して上記の意味を表す。)
【化９】
2006206834.tif 000009
(iは化学式中に示した範囲内から選ばれた整数であり、複数のユニットが存在する場合ユニット毎に独立して上記の意味を表す。)
【化１０】
2006206834.tif 000010
(jは化学式中に示した範囲内から選ばれた整数である；Ｒ10は、Ｈ原子、Ｎa原子またはＫ原子である；複数のユニットが存在する場合ユニット毎に独立して上記の意味を表す。)
【化１１】
2006206834.tif 000011
(kは化学式中に示した範囲内から選ばれた整数であり、複数のユニットが存在する場合ユニット毎に独立して上記の意味を表す。)
【化１２】
2006206834.tif 000012
(Ｌは化学式中に示した範囲内から選ばれた整数であり、複数のユニットが存在する場合ユニット毎に独立して上記の意味を表す。)
【請求項３】
式中、Ｒ6が化学式(13)〜(23)のいずれかで示される残基の少なくとも１種であって、複数のユニットが存在する場合ユニット毎に独立して上記の意味を表す、請求項２に記載のポリヒドロキシアルカノエート。
【化１３】
2006206834.tif 000013
(式中、Ｒ13は芳香環への置換基を示し、Ｒ13はＨ原子、ハロゲン原子、ＣＮ基、ＮＯ2基、ＣＯＯＲ'(Ｒ':Ｈ、Ｎa、およびＫのいずれかを表す)、ＣＨ3基、Ｃ2Ｈ5基、Ｃ3Ｈ7基、ＣＨ＝ＣＨ2基、ＣＦ3基、Ｃ2Ｆ5基またはＣ3Ｆ7基であり、複数のユニットが存在する場合、ユニット毎に独立して上記の意味を表す。)
【化１４】
2006206834.tif 000014
(式中、Ｒ14は芳香環への置換基を示し、Ｒ14はＨ原子、ハロゲン原子、ＣＮ基、ＮＯ2基、ＣＨ3基、Ｃ2Ｈ5基、Ｃ3Ｈ7基、ＳＣＨ3基、ＣＦ3基、Ｃ2Ｆ5基またはＣ3Ｆ7基であり、複数のユニットが存在する場合ユニット毎に独立して上記の意味を表す。)
【化１５】
2006206834.tif 000015
(式中、Ｒ15は芳香環への置換基を示し、Ｒ15はＨ原子、ハロゲン原子、ＣＮ基、ＮＯ2基、ＣＨ3基、Ｃ2Ｈ5基、Ｃ3Ｈ7基、ＣＦ3基、Ｃ2Ｆ5基またはＣ3Ｆ7基であり、複数のユニットが存在する場合ユニット毎に独立して上記の意味を表す。)
【化１６】
2006206834.tif 000016
(式中、Ｒ16は芳香環への置換基を示し、Ｒ16はＨ原子、ハロゲン原子、ＣＮ基、ＮＯ2基、ＣＯＯＲ'、ＳＯ2Ｒ"(Ｒ':Ｈ、Ｎa、Ｋ、ＣＨ3、およびＣ2Ｈ5のいずれかを表し、Ｒ":ＯＨ、ＯＮa、ＯＫ、ハロゲン原子、ＯＣＨ3、およびＯＣ2Ｈ5のいずれかを表す)、ＣＨ3基、Ｃ2Ｈ5基、Ｃ3Ｈ7基、(ＣＨ3)2-ＣＨ基または(ＣＨ3)3-Ｃ基であり、複数のユニットが存在する場合ユニット毎に独立して上記の意味を表す。)
【化１７】
2006206834.tif 000017
(式中、Ｒ17は芳香環への置換基を示し、Ｒ17はＨ原子、ハロゲン原子、ＣＮ基、ＮＯ2基、ＣＯＯＲ'、ＳＯ2Ｒ"(Ｒ':Ｈ、Ｎa、Ｋ、ＣＨ3、およびＣ2Ｈ5のいずれかを表し、Ｒ":ＯＨ、ＯＮa、ＯＫ、ハロゲン原子、ＯＣＨ3、およびＯＣ2Ｈ5のいずれかを表す)、ＣＨ3基、Ｃ2Ｈ5基、Ｃ3Ｈ7基、(ＣＨ3)2-ＣＨ基または(ＣＨ3)3-Ｃ基であり、複数のユニットが存在する場合ユニット毎に独立して上記の意味を表す。)
【化１８】
2006206834.tif 000018
(式中、Ｒ18は芳香環への置換基を示し、Ｒ18はＨ原子、ハロゲン原子、ＣＮ基、ＮＯ2基、ＣＯＯＲ'、ＳＯ2Ｒ"(Ｒ':Ｈ、Ｎa、Ｋ、ＣＨ3、およびＣ2Ｈ5のいずれかを表し、Ｒ":ＯＨ、ＯＮa、ＯＫ、ハロゲン原子、ＯＣＨ3、およびＯＣ2Ｈ5のいずれかを表す)、ＣＨ3基、Ｃ2Ｈ5基、Ｃ3Ｈ7基、(ＣＨ3)2-ＣＨ基または(ＣＨ3)3-Ｃ基であり、複数のユニットが存在する場合ユニット毎に独立して上記の意味を表す。)
【化１９】
2006206834.tif 000019
(式中、Ｒ19は芳香環への置換基を示し、Ｒ19はＨ原子、ハロゲン原子、ＣＮ基、ＮＯ2基、ＣＯＯＲ'、ＳＯ2Ｒ"(Ｒ':Ｈ、Ｎa、Ｋ、ＣＨ3、およびＣ2Ｈ5のいずれかを表し、Ｒ":ＯＨ、ＯＮa、ＯＫ、ハロゲン原子、ＯＣＨ3、およびＯＣ2Ｈ5のいずれかを表す)、ＣＨ3基、Ｃ2Ｈ5基、Ｃ3Ｈ7基、(ＣＨ3)2-ＣＨ基または(ＣＨ3)3-Ｃ基であり、複数のユニットが存在する場合ユニット毎に独立して上記の意味を表す。)
【化２０】
2006206834.tif 000020
【化２１】
2006206834.tif 000021
【化２２】
2006206834.tif 000022
【化２３】
2006206834.tif 000023